(57)【特許請求の範囲】
【請求項１】
固定子鉄心に挿入されると共に巻き回された巻線の端部上に固定された巻線固定台と、
前記巻線固定台上に固定されて上記巻線の口出し線と接続されると共に外部線と接続する導電性の第１の端子、上記巻線の温度を検知して回路を遮断する電流遮断素子及びこの電流遮断素子のリード線を固定する第２の端子を収容する部品固定部と、
前記部品固定部を覆う絶縁性のカバー部とを備え、
概略環状を成す前記カバー部は、円周方向に複数に分割されている
ことを特徴とする電動機の端子台。
【請求項２】
部品固定部には複数の突起が設けられ、カバー部には上記複数の突起と係合させる複数の孔が設けられている
ことを特徴とする請求項１に記載の電動機の端子台。
【請求項３】
カバー部は、部品固定部の周囲と係合すると共に、上記部品固定部を覆う
ことを特徴とする請求項１または２に記載の電動機の端子台。
【請求項４】
カバー部は、非可撓性部材からなる
ことを特徴とする請求項１から３のいずれか１項に記載の電動機の端子台。
【請求項５】
巻線固定台は、固定子鉄心の内径部のティースに係合される突起片を有する
ことを特徴とする請求項１から４のいずれか１項に記載の電動機の端子台。
【請求項６】
本体ハウジングに、断面コの字上の部位が形成され、この部位に遊捜された
ことを特徴とする請求項１から５のいずれか１項に記載の電動機の端子台。
【発明の詳細な説明】
【０００１】
【発明の属する技術分野】
この発明は、電動機の巻線処理端子台の改良に関するものである。
【０００２】
【従来の技術】
例えば、換気扇等のファン駆動用に使用される従来の電動機の巻線処理端子台（以下、端子台とする）を特開平９−３２２４５８号公報に記載された図８R>８及び図９によって説明する。図８及び図９において、固定子鉄心１に挿入された内側巻線２及び外側巻線３の内周側に装着される端子台４は、端子を配置する複数の端子挿入孔１０を有する環状の円盤部５と、温度過昇防止素子を取り付ける略台形の素子取付部６と、口出し線を固定する結束部７と、を有し、固定子鉄心１に当接する複数個の固定脚８、９は絶縁樹脂で一体に成型されており、素子取付部６は円盤部５からの立ち上がり部１１ａを有し、円盤部５の外周方向に鍔状に延設し、結束部７も同様に円盤部５からの立ち上がり部１１ｂを有し、円盤部５の外周方向に鍔状に延設しており、さらに固定脚８、９は円盤部５の下方に延設されている。
【０００３】
上記構成において、図８及び図９に示すように端子台４を内側巻線２の内周側に押し下げるように装着すると、端子台４の固定脚８、９が固定子鉄心１に当接して位置を保持し、装置取付部６の立ち上がり部１１ａがコイルエンドと当接し、結束部７の立ち上がり部１１ｂがコイルエンドと当接し、端子台４は各立ち上がり部１１ａ、１１ｂによって、コイルエンドを逃げ内側巻線２及び外側巻線３の上面に位置することになる。これより、一つの部品により多くの機能を持たせることで共用化を図ると共に、組立作業が容易な端子台４を提供できる。
【０００４】
【発明が解決しようとする課題】
しかしながら、上記のように構成された電動機の端子台４は、素子取付部６及び結束部７が絶縁されていないので、電動機のハウジングの内面と温度過昇防止素子等の絶縁距離を充分に確保しなければならならない。よって、電動機の軸方向の寸法が絶縁距離の確保のために長くなるという問題点があった。
【０００５】
この発明は、上記のような課題を解決するためになされたもので、複数の機能を有する端子台を得ると共に、軸寸法が短い電動機の端子台を提供することを目的とする。
【０００６】
【課題を解決するための手段】
この発明に係わる電動機の端子台は、固定子鉄心に挿入されると共に巻き回された巻線の端部上に固定され、上記巻線の温度を検知して回路を遮断する電流遮断素子と、上記巻線の口出し線を接続すると共に外部線と接続させる端子部とを覆うように収容するものである。
【０００７】
また、固定子鉄心に挿入されると共に巻き回された巻線の端部上に固定され、上記巻線の口出し線と接続されると共に外部線と接続する導電性の第１の端子、上記巻線の温度を検知して回路を遮断する電流遮断素子及びこの電流遮断素子のリード線を固定する第２の端子を収容する部品固定部と、この部品固定部を塞ぐカバー部とを備えたものである。
【０００８】
また、固定子鉄心に挿入されると共に巻き回された巻線の端部上に固定された巻線固定台と、この巻線固定台上に固定されて上記巻線の口出し線と接続されると共に外部線と接続する導電性の第１の端子、上記巻線の温度を検知して回路を遮断する電流遮断素子及びこの電流遮断素子のリード線を固定する第２の端子を収容する部品固定部と、この部品固定部を塞ぐカバー部とを備えたものである。
【０００９】
また、部品固定部には複数の突起が設けられ、カバー部には上記複数の突起と係合させる複数の孔が設けられているものである。
【００１０】
また、カバー部は、部品固定部の周囲と係合すると共に、上記部品固定部を覆うものである。
【００１１】
また、カバー部は、非可撓性部材からなるものである。
【００１２】
また、カバー部は、複数に分割されたものである。
【００１３】
また、巻線固定台は、固定子鉄心の内径部のティースに係合される突起片を有するものである。
【００１４】
また、本体ハウジングに、断面コの字上の部位が形成され、この部位に遊捜されたものである。
【００１５】
【発明の実施の形態】
以下、この発明の実施の形態を図に基づいて説明する。
実施の形態１．
図１は、この発明の実施の形態１による電動機を示す縦方向断面図、図２は図１の電動機における鉄心、巻線及び端子台の縦断面図、図３は図１の電動機における端子台の分解斜視図、図４は図１の電動機における端子台の巻き線固定台の正面図（ａ）、側面図（ｂ）、図５は図１の電動機における端子台の部品固定台の正面図（ａ）、側面図（ｂ）である。
【００１６】
図１乃至図５において、電動機１００は中央に軸１０２ｈを有する回転子１０２と、この回転子１０２を貫通せしめる孔１０４ｅを中央部に有すると共に、薄い電磁鋼板を多数積層された固定子鉄心１０４と、この固定子鉄心１０４のスロット１０４ｓに挿入されると共に、多数の電線が巻き回された巻線１０６と、この巻線１０６の端部上に載せて固定されると共に、軸１０２ｈを貫通させる孔２００ｒを有する環状の端子台２００と、この端子台２００、回転子１０２及び固定子鉄心１０４等を収納せしめる略円筒状の二つのハウジング１１０、１１２とから形成されている。
【００１７】
端子台２００は、巻線１０６の上端部に載せて固定されると共に、中央に軸１０２ｈを貫通させる孔２０２ｒを有する環状で円盤形の巻線固定台２０２と、この巻線固定台２０２上に固定されると共に、中央に軸１０２ｈを貫通させる孔２０６ｒを有する環状で円盤形の部品固定台２０６と、この部品固定台２０６の凹部２０６ｕを覆うと共に、中央に軸１０２ｈを貫通させる孔２５０ｒを有する環状で円盤形の端子カバー２５０とから成っている。
【００１８】
巻線固定台２０２は、巻線１０６の温度が所定値以上で動作して回路を遮断せしめると共に、所定の温度に低下したことで復帰（閉成）する電流遮断素子２２０の胴部を固定する二つの固定部２０２ｎと、部品固定台２０６の裏から僅かに突出した端子２０６ｔ（後述）を収納せしめる六つの窪み状の端子収納部２０２ｔと、固定子鉄心１０４のスロット１０４ｓ間のティース（図示せず）に係合される切欠き２０２ｅを有すると共に、９０゜間隔で垂直下方向に設けられた四つの突起片２０２ｈとを有している。
【００１９】
部品固定台２０６は、巻線１０６の口出し線１０６Ｌ（図１参照）を外部線（図示せず）と電気的に接続される導電性の端子２１０を係合固定させる第１の端子２０６ｔと、電流遮断素子２２０の胴部を巻線固定台２０２の固定部２０２ｎに固定させるための長ケ孔２０６ｎと、電流遮断素子２２０の口出し線を固定する第２の端子２１２と、第１及び第２の端子２０６ｔ、２１２及び電流遮断素子２２０を収納せしめる凹部２０６ｕと、外部線を配線させる溝状の配線部２０６ｄと、外部線の引き出し部２０６ｚと、垂直方向に設けられた複数の突起２０６ｈとを有している。
【００２０】
端子カバー２５０は、電気的に絶縁性のある非可撓性のポリエステルフィルムからなり、端子カバー２５０には、部品固定台２０６の突起２０６ｈと係合させる穿設された複数の孔２５０ｅが設けられている。ここで、端子カバー２５０を非可撓性としたのは、撓むと端子カバー２５０の孔２５０ｅが部品固定台２０６の突起２０６ｈに挿入しにくいからである。
【００２１】
図１に示すようにハウジング１１０、１１２の両端には、凹部１１０ａ、１１２ａが形成されており、該凹部１１０ａ、１１２ａにそれぞれ軸受け１１６、１１８の外輪が嵌合固定されており、該軸受け１１６、１１８の内輪が回転子１０２の軸１０２ｈに嵌合固定されており、ハウジング１１０の内壁には、端子台２００を遊挿させるコ部１１０ｕが形成されている。
【００２２】
上記のように構成された端子台２００を有する電動機の製造方法を図１乃至図５によって説明する。薄い鉄心を多数積層して固定鉄心１０４を形成し、固定鉄心１０４のスロット１０４ｓに電線を多数巻き回して巻線１０６を形成し、ハウジング１１０、１１２に軸受１１６、１１８の外輪を固定し、軸受の１１６、１１８の内輪に回転子１０２の回転軸１０２ｈを嵌合固定し、巻線１０６上に巻線固定台２０２を載せて糸で巻回して固定すると共に、突起片２０２ｈの切欠き２０２ｅを固定鉄心１０４のスロット１０４ｓ間ののティースに係合固定する。
【００２３】
外部線を、部品固定台２０６の引出し部２０６ｚから配線部２０６ｄを通して第１の端子２０６ｔに電気的に接続し、電流遮断素子２２０のリード線を第２の端子２１２に電気的に接続することにより電流遮断素子２２０の胴部を長ケ孔２０６ｎの上に位置させる。部品固定台２０６の第１の端子２０６ｔを巻線固定部２０２の端子収納部２０２ｔに係合固定し、電流遮断素子２２０の胴部を巻線固定台２０２の固定部２０２ｎに載せて接着剤により固定する。
【００２４】
端子カバー２５０の孔２５０ｅを部品固定台２０６の突起２０６ｈに係合して、突起２０６ｈを溶着し、端子台２００をハウジング１１０のコ部１１０ｕに遊挿し、ハウジング１１０、１１２を被せて端子台２００を有する電動機１００が完成する。
【００２５】
なお、図６に示すように端子カバー２６０は、巻線固定台２０２の周囲を覆うように外側鍔部２６０ａ、内側鍔部２６０ｃを有すようにしてハウジング１１０のコ部１１０ｕと係合させても良い。さらに、該鍔部２６０ａ，２６０ｃを部品固定台２０６の外周面及び内周面と係合させても良い。該何れかの係合により、部品固定台２０６の突起２０６ｈ及び端子カバー２５０の孔２５０ｅが不要になる。
【００２６】
また、図７に示すように端子カバー２７０を可撓性として、複数に分割して孔２７１ｅを有すると共に、半環状の右カバー２７１、孔２７３ｅを有する左カバー２７３としても良い。このように形成されることにより端子カバー２７０が可撓性でも、部品固定台２０６の突起２０６ｈへの取付が容易になる。また、第１及び第２の端子２０６ｔ，２１２、電流遮断素子２２０のリード線をエポキシ樹脂と硬化材から成るパテにより充填して、カバーとしても良い。
【００２７】
【発明の効果】
以上のように、この発明によれば、固定子鉄心に挿入されると共に巻き回された巻線の端部上に固定され、巻線の温度を検知して回路を遮断する電流遮断素子と、巻線の口出し線を接続すると共に外部線と接続させる端子部とを覆うように収容することにより、端子台が複数の機能を有すると共に、電動機の軸方向の寸法を抑制できるという効果がある。
【００２８】
また、固定子鉄心に挿入されると共に巻き回された巻線の端部上に固定され、巻線の口出し線と接続されると共に外部線と接続する導電性の第１の端子、巻線の温度を検知して回路を遮断する電流遮断素子及びこの電流遮断素子のリード線を固定する第２の端子を収容する部品固定部と、この部品固定部を塞ぐカバー部とを備えたことにより、端子台が複数の機能を有すると共に、電動機の軸方向の寸法を抑制できるという効果がある。
【００２９】
また、固定子鉄心に挿入されると共に巻き回された巻線の端部上に固定された巻線固定台と、この巻線固定台上に固定されて巻線の口出し線と接続されると共に外部線と接続する導電性の第１の端子、巻線の温度を検知して回路を遮断する電流遮断素子及びこの電流遮断素子のリード線を固定する第２の端子を収容する部品固定部と、この部品固定部を塞ぐカバー部とを備えたことにより、端子台が複数の機能を有すると共に、電動機の軸方向の寸法を抑制できるとともに、巻線への端子台の固定が容易であるという効果がある。
【００３０】
また、部品固定部には複数の突起が設けられ、カバー部には複数の突起と係合させる複数の孔が設けられていることにより、端子カバーを端子台に容易に係合固定できるから、電動機の外壁との絶縁が容易に確保できるという効果がある。
【００３１】
また、カバー部は、部品固定部の周囲と係合すると共に、部品固定部を覆うものであることにより、端子台とカバー部との係合が簡易な構成により達成できるという効果がある。
【００３２】
また、カバー部は、非可撓性部材からなることにより、カバー部を容易に端子台に装着できるという効果がある。
【００３３】
また、カバー部は、複数に分割されたことにより、可撓性なカバー部でも容易に端子台に装着できるという効果がある。
【００３４】
また、巻線固定台は、固定子鉄心の内径部のティースに係合される突起片を有することにより、端子台の固定が容易であるという効果がある。
【００３５】
また、本体ハウジングに、断面コの字上の部位が形成され、この部位に遊捜されたことにより、端子台がハウジングのコ部により支持され移動しなくなるという効果がある。
【００３６】
【図面の簡単な説明】
【図１】  この発明の実施の形態１による電動機を示す縦方向断面図である。
【図２】  図１の電動機における鉄心、巻線及び端子台の縦断面図である。
【図３】  図１の電動機における端子台の分解斜視図である。
【図４】  図１の電動機における端子台の巻き線固定台の正面図（ａ）、側面図（ｂ）である。
【図５】  図１の電動機における端子台の部品固定台の正面図（ａ）、側面図（ｂ）である。
【図６】  この発明の実施の形態１による電動機における端子台の端子カバーの他の例を示す斜視図である。
【図７】  この発明の実施の形態１による電動機における端子台の端子カバーのさらに他の例を示す正面図である。
【図８】  従来の電動機の端子台の斜視図である。
【図９】  従来の電動機の端子台の装着状態を示す断面図である。
【符号の説明】
１０２  回転子、１０２ｈ  軸、１０４  固定子鉄心、
１０４ｅ  固定子鉄心の孔、１０６  巻線、１０６Ｌ  口出し線、
１１０、１１２  ハウジング、１１０ｕ  コ部、２００  端子台、
２００ｒ  端子台の孔、２０２  巻線固定台、２０６  部品固定台、
２０６ｈ  突起、２０６ｔ  第１の端子、２０６ｕ  凹部、
２１２  第２の端子、２２０  電流遮断素子、
２５０，２６０，２７０  端子カバー、
２５０ｅ，２７１ｅ，２７３ｅ  孔、２６０ａ  外側鍔部、
２６０ｃ  内側鍔部。
【図１】
0003792093.tif 000002
【図２】
0003792093.tif 000003
【図３】
0003792093.tif 000004
【図４】
0003792093.tif 000005
【図５】
0003792093.tif 000006
【図６】
0003792093.tif 000007
【図７】
0003792093.tif 000008
【図８】
0003792093.tif 000009
【図９】
0003792093.tif 000010